(57)【特許請求の範囲】
【請求項１】
表示器に表示された商品登録画面上の商品キーをタッチ操作して商品登録可能かつ締め操作後に商品登録画面から会計画面に切換え可能に形成された商品販売データ処理装置において、
前記締め操作時からの経過時間を計数する経過時間計数手段と，計数経過時間が設定時間以上になったことを条件に前記会計画面から前記商品登録画面に切換える画面切換制御手段と、前記会計画面に表示されている少なくとも釣銭金額を含む会計画面内容を記憶保持可能な会計画面内容記憶保持手段と，表示戻し宣言を行う表示戻し宣言手段と，表示戻し宣言が成されたことを条件に前記画面切換制御手段によって切換えられた切換後商品登録画面から会計画面内容記憶保持手段に記憶されている切換前会計画面に戻し表示する前画面戻し表示制御手段と、を設けた商品販売データ処理装置。
【請求項２】
前記設定時間を前記経過時間計数開始時からレシート発行終了時までに必要とする時間以上の時間長にセット可能に形成されている請求項１記載の商品販売データ処理装置。
【請求項３】
前記画面切換制御手段によって切換えられた切換後商品登録画面に前記会計画面内容記憶保持手段に記憶保持されている切換前会計画面内容の一部を表示する一部内容表示制御手段を設けた、請求項１または２記載の商品販売データ処理装置。
【請求項４】
前記一部内容表示制御手段によって前記切換後商品登録画面に表示する前記切換前会計画面内容の一部が釣銭金額とされている請求項３記載の商品販売データ処理装置。
【請求項５】
前記会計画面内容記憶保持手段に記憶保持されている会計画面内容が次客用の締め操作が成される度に当該次客用会計画面内容に更新可能に形成されている請求項１から請求項４までのいずれか１項に記載された商品販売データ処理装置。
【請求項６】
前記表示戻し宣言手段が前記表示器に表示されたタッチ操作キーから形成されている請求項１から請求項５までのいずれか１項に記載された商品販売データ処理装置。
【請求項７】
前記表示器の前記商品登録画面に表示される前記商品キーが商品たるメニュー品目を入力可能なメニューキーとされている請求項１から請求項６までのいずれか１項に記載された商品販売データ処理装置。
【発明の詳細な説明】
【０００１】
【発明の属する技術分野】
本発明は、表示器に表示された商品登録画面上の商品キーをタッチ操作すること、または商品に付されたコードをスキャンすることにより、商品登録可能かつ締め操作後に商品登録画面から会計画面に切換え可能に形成された商品販売データ処理装置に関する。
【０００２】
【従来の技術】
例えば電子キャッシュレジスタ型の商品販売データ処理装置は、制御部（ＣＰＵ，ＲＯＭ，ＲＡＭ等），データ入力手段（例えば、キーボード，スキャナ，タッチ操作キー等），表示器，プリンタ，ドロワ等を備え、商品登録および会計処理を実行することができる。
【０００３】
すなわち、データ入力手段が、図１０に示す表示器（５１）に一体的に組み込まれたタッチパネル６２を介したタッチ操作キー「商品（メニュー）キー」の場合、係員（オペレータ）が、表示器（５１）に表示（図１１のＳＴ１１０）された例えば図４に示す商品登録画面５１Ｒ上のメニューキー６２Ｍをタッチ操作（ＳＴ１１１のＹＥＳ）すると、当該メニュー（商品）の商品登録（ＳＴ１１２）が行われる。
【０００４】
当該客のオーダーメニューの全てについて商品登録が終了したら、１取引終了宣言としての締め操作（ＳＴ１１３のＹＥＳ）を行う。すると、商品登録画面５１Ｒから例えば図５に示す会計画面５１Ｋに切換わり（ＳＴ１１４）、請求金額乃至取引金額等の算出を含む会計処理（ＳＴ１１５）が実行される。会計処理データ（請求金額乃至取引金額，釣銭金額等）も表示器（５１）の当該会計画面５１Ｋに表示される。
【０００５】
しかる後に、ドロワ（図示省略）が自動開放（ＳＴ１１６）され、編集されたレシート印字データ（登録商品データおよび会計処理データを含む。）を印字したレシートが発行（ＳＴ１１７）される。かくして、係員は、オーダー（カスタマー）伝票としても使用するレシートとともに釣銭を当該客に手渡す。客は、レシートを見てオーダーメニュー等を再確認しつつテーブルに着席する。
【０００６】
係員は、先客の会計（チェックアウト）を確認してから、特定のダミーキーを用いた入力作業をする。つまり、画面切換用の格別または一定範囲内の任意のキーについての入力操作（ＳＴ１１８のＹＥＳ）をする。これにより、次客用の商品登録のため商品登録画面（５１Ｒ）に切換わる（ＳＴ１１０）。
【０００７】
なお、来店時に商品登録を行い、飲食後の帰りがけに会計処理する場合もあるが、来店時に商品登録および会計処理を続けて行なうように形成された上記場合と、本質的には変わらない。
【０００８】
他方、データ入力手段が図１２に示すスキャナ７２から形成されている場合、係員（オペレータ）は、スキャナ７２を用いて客買上商品に付されたバーコードから商品コードを読取入力（スキャン）する（図１３のＳＴ１２０でＹＥＳ）。すると、現在画面が会計画面であった場合は商品登録画面に切換え表示される（ＳＴ１２１のＮＯ，ＳＴ１２２）。同一客の商品について次々に商品登録する場合のように、現在画面が商品登録画面だった場合（ＳＴ１２１のＹＥＳ）には、そのままである。
【０００９】
これにより、当該商品コードに対応する商品データ（商品名，単価等）を自機内または上位機（ストアコントローラー）から得、この商品データを利用して商品登録（ＳＴ１２３）を行なう。登録商品データは、表示器（オペレータ用表示器５１）の当該商品登録画面に表示される。
【００１０】
当該客の買上商品の全てについて商品登録（ＳＴ１２３）が終了したら、１取引終了宣言としての締め操作（ＳＴ１２４のＹＥＳ）を行う。キーボード４３上の例えば“預り／現計”キーの押下操作による。すると、商品登録画面から会計画面に切換わり（ＳＴ１２５）、請求金額乃至取引金額等の算出を含む会計処理（ＳＴ１２６）が実行される。会計処理データ（請求金額乃至取引金額，釣銭金額等）も表示器５１の当該会計画面に表示される。
【００１１】
しかる後に、ドロワ（７６Ｄ）が自動開放（ＳＴ１２７）され、編集されたレシート印字データ（登録商品データおよび会計処理データを含む。）を印字したレシートが発行（ＳＴ１２８）される。かくして、係員は、このレシートとともに釣銭を当該客に手渡す。いわゆるチェックアウトとなる。
【００１２】
係員は、先客のチェックアウトを確認してから、次客用の商品登録のために、スキャナ７２を用いて当該次客が買上げた複数商品中の最初の商品から商品コードを読取る（ＳＴ１２０のＹＥＳ）と、先客用の会計画面から新規の次客用商品登録画面に切換わる（ＳＴ１２１のＮＯ，ＳＴ１２２）。
【００１３】
【発明が解決しようとする課題】
ところで、データ入力手段が表示器（５１，６２）に一体的に組み込まれたタッチ操作キーから形成されている場合（図１０）、会計画面５１Ｋから商品登録画面５１Ｒに切換えるには、係員がダミーキーを押圧操作またはタッチ操作して切換入力しなければならない。つまり、次客の商品登録前にキー操作が義務付けられているので、混雑時にはその都度に当該キー操作をすることが煩わしいとの指摘がある。
【００１４】
また、先客用の会計処理から次客用の商品登録画面５１Ｒに切換えた後に、先客用会計画面５１Ｋに表示されていた内容（例えば、釣銭金額）について、当該前客からの問合せがあったり、係員が確認したい場合がある。しかし、元（先客用会計画面５１Ｋ）に戻せないので、従来はプリンタカバーを開いてジャーナルを解読しなければならないから、業務中断となる。
【００１５】
かかる指摘は、装置が卓上型（電子キャッシュレジスタ）のみならず、特にレストラン等で使用されるハンディタイプ（ハンディターミナル）の場合に、業務能率の低下および客サービスの劣悪化を防止するために必要な重要課題と認識される。
【００１６】
この点に関し、データ入力手段がスキャナ７２から形成されている場合（図１２）は、係員が商品登録に必須なスキャナ７２を用いかつ次客の買上商品について商品コードを読取入力すれば、先客用商品登録画面から次客用商品登録画面に自動的に切換わるので、図１０に示すものに比較して係員の煩わしさはないといえる。また、次客の買上商品についてスキャナ７２を用いて商品コードを読取入力しなければ、当該次客用商品登録画面に切換わらず先客用会計画面のままであるから、先客についての釣銭金額等を何時でも簡単に再確認できる。
【００１７】
しかるに、取り扱い商品や支払条件の多様化が目覚しい現今では、先客の去った後に、商品登録を受ける次客（他人）によって、自己（先客）の登録商品や金額を含む会計画面内容が覗き見されてしまうことは、甚だ迷惑であると訴える先客が増大している。これを放置すると、客離れが生じる。だからといって、係員にスキャナ７２を用いた擬似商品登録を義務付けることは、ダミーキー操作を義務付ける上記場合（図１０）と同様な問題が起こるので、実用性に欠ける。
【００１８】
本発明の第１の目的は、データ入力手段がタッチ操作キーから形成されている場合の会計画面から商品登録画面への切換えをダミーキー操作なくして自動的かつ確実に行える商品販売データ処理装置を提供することにある。また、第２の目的は、第１の目的に加えて次客用商品登録画面に切換えた後に先客用会計画面上の全部または一部の内容を戻し表示可能な商品販売データ処理装置を提供する。さらに、第３の目的は、データ入力手段がスキャナから形成されている場合の会計画面から商品登録画面への切換えをスキャン操作なくして自動的かつ確実に行える商品販売データ処理装置を提供する。
【００１９】
【課題を解決するための手段】
請求項１の発明は、表示器に表示された商品登録画面上の商品キーをタッチ操作して商品登録可能かつ締め操作後に商品登録画面から会計画面に切換え可能に形成された商品販売データ処理装置において、前記締め操作時からの経過時間を計数する経過時間計数手段と，計数経過時間が設定時間以上になったことを条件に前記会計画面から前記商品登録画面に切換える画面切換制御手段と、前記会計画面に表示されている少なくとも釣銭金額を含む会計画面内容を記憶保持可能な会計画面内容記憶保持手段と，表示戻し宣言を行う表示戻し宣言手段と，表示戻し宣言が成されたことを条件に前記画面切換制御手段によって切換えられた切換後商品登録画面から会計画面内容記憶保持手段に記憶されている切換前会計画面に戻し表示する前画面戻し表示制御手段と、を設けた商品販売データ処理装置である。
【００２０】
かかる発明では、締め操作をすると、経過時間計数手段が、締め操作時からの経過時間を計数する。画面切換制御手段は、計数経過時間が設定時間以上になった場合に、これを条件に会計画面から商品登録画面に自動的に切換える。
【００２１】
したがって、データ入力手段がタッチ操作キーから形成されている場合の会計画面から商品登録画面への切換えを、従来例の場合に必須なダミーキー操作なくして自動的かつ確実に行えるから、業務能率を大幅に向上できるとともに、画面切換制御手段の動作条件としての設定時間を適宜にセットするだけで運用の実際に即した利用ができかつ適応性が広い。
【００２２】
また、会計画面内容記憶保持手段に、会計画面に表示されている少なくとも釣銭金額を含む会計画面内容が記憶保持される。かくして、表示戻し宣言手段を用いて表示戻し宣言をすると、前画面戻し表示制御手段が、画面切換制御手段によって切換えられた切換後商品登録画面から会計画面内容記憶保持手段に記憶されている切換前会計画面（内容）に戻し表示する。
【００２３】
かくして、業務能率の向上および商品登録の迅速化を第一義としかつ画面切換制御手段の動作条件としての設定時間を短めにセットして、商品登録画面への早めの自動画面切換をできるようにしておいた場合において、先客から当該会計画面（例えば、預り金額と釣銭金額）の確認問合せがあったとしても、当該会計画面に戻せるから、その内容について正確に応答でき得る。
【００２４】
したがって、業務能率の一段の向上を図りつつ先客の会計画面内容に関する確認を簡単に行える。
【００２５】
請求項２の発明は、前記設定時間を前記経過時間計数開始時からレシート発行終了時までに必要とする時間以上の時間長にセット可能に形成されている商品販売データ処理装置である。
【００２６】
かかる発明では、設定時間を、経過時間計数開始時からレシート発行終了時までに必要とする時間以上の時間長にセットすることができるので、請求項１の発明の場合と同様な作用効果を奏することができることに加え、さらに確実なレシート発行を保障できかつそれ以前に商品登録画面に切換わってしまうことがないので会計処理乃至チェックアウトをより正確に行える。
【００２７】
請求項３の発明は、前記画面切換制御手段によって切換えられた切換後商品登録画面に前記会計画面内容記憶保持手段に記憶保持されている切換前会計画面内容の一部を表示する一部内容表示制御手段を設けた、商品販売データ処理装置である。
【００２８】
かかる発明では、会計画面内容記憶保持手段に、会計画面に表示されている少なくとも釣銭金額を含む会計画面内容が記憶保持される。そして、画面切換制御手段が会計画面から商品登録画面に自動的に切換えると、一部内容表示制御手段が、切換後商品登録画面に会計画面内容記憶保持手段に記憶保持されている切換前会計画面内容の一部（例えば、一番問合せの多い預り金額および釣銭金額）を表示する。したがって、切換後の今回商品登録画面上において先客用会計画面の内容の一部を確認することができる。
【００２９】
しかも、この一部内容で不充分な（例えば、請求金額乃至取引金額も見たい。）場合には、表示戻し宣言手段を用いて表示戻し宣言をすると、前画面戻し表示制御手段が、画面切換制御手段によって切換えられた切換後商品登録画面から会計画面内容記憶保持手段に記憶されている切換前会計画面に戻し表示する。当該会計画面に表示されていた内容を、全て戻し表示することができる。
【００３０】
かくして、業務能率の向上および商品登録の迅速化を第一義としかつ画面切換制御手段の動作条件としての設定時間を短めにセットして、商品登録画面への早めの自動画面切換をできるようにしておいた場合において、先客から当該会計画面（例えば、預り金額および釣銭金額）についての確認問合せがあったとしても、当該会計画面に戻せるから、当該内容をより正確に応答でき得る。
【００３１】
したがって、請求項１の発明の場合と同様な作用効果を奏することができることに加え、さらに切換後の次客用商品登録画面上において先客用会計画面の内容の一部を簡単に確認することができるとともに、先客へ釣銭を手渡し中でも次客用の商品登録準備を一段と迅速に完了できかつ業務能率を一段と向上できる。
【００３２】
また、請求項４の発明は、前記一部内容表示制御手段によって前記切換後商品登録画面に表示する前記切換前会計画面内容の一部が釣銭金額とされている商品販売データ処理装置である。
【００３３】
かかる発明では、一部内容表示制御手段によって切換後商品登録画面に切換前会計画面内容の一部である釣銭金額が表示されるので、請求項３の発明の場合と同様な作用効果を奏することができることに加え、さらに次客用の商品登録準備をより一段と迅速に完了できかつ業務能率をより一段と向上できる。
【００３４】
さらに、請求項５の発明は、前記会計画面内容記憶保持手段に記憶保持されている会計画面内容が次客用の締め操作が成される度に当該次客用会計画面内容に更新可能に形成された商品販売データ処理装置である。
【００３５】
かかる発明では、会計画面内容記憶保持手段に記憶保持されている会計画面内容は、次客用の締め操作が成される度に、当該次客用会計画面内容に更新されるので、請求項１から請求項４までのいずれかの発明の場合と同様な作用効果を奏することができることに加え、さらに会計画面内容記憶保持手段の記憶容量の小容量化を図りつつ直前客用の会計画面のみを正確かつ確実に戻し表示させることができる。
【００３６】
さらに、請求項６の発明は、前記表示戻し宣言手段が前記表示器に表示されたタッチ操作キーから形成された商品販売データ処理装置である。
【００３７】
かかる発明では、表示戻し宣言手段が商品キーと同様な表示器に表示されたタッチ操作キーから形成されているので、請求項１から請求項５までのいずれかの発明の場合と同様な作用効果を奏することができることに加え、さらに取り扱いが容易でかつ装置コスト低減を図れる。
【００３８】
さらに、請求項７の発明は、前記表示器の前記商品登録画面に表示される前記商品キーが商品たるメニュー品目を入力可能なメニューキーとされている商品販売データ処理装置である。
【００３９】
かかる発明では、商品キーがメニュー品目（商品）を入力するためのメニューキーとされているので、請求項１から請求項６までのいずれかの発明の場合と同様な作用効果を奏することができることに加え、さらにレストラン等でメニュー入力に使用するハンディターミナルにもそのまま利用できる。
【００４０】
【発明の実施の形態】
以下、本発明の実施形態について図面を参照して説明する。
【００４１】
（第１の実施形態）
本商品販売データ処理装置は、図１に示す如く、基本的構成が表示器（５１）に表示された商品登録画面５１Ｒ上の商品キー（メニューキー）６２Ｍをタッチ操作して商品登録可能な電子キャッシュレジスタ１０から構成され、さらに経過時間計数手段（４５）と画面切換制御手段（３１，３２）とを設け、締め操作からの経過時間Ｔｉを計数可能かつ計数経過時間Ｔｉが設定時間Ｔｓ以上になったことを条件に、会計画面５１Ｋから商品登録画面５１Ｒに自動切換え可能に形成されている。
【００４２】
また、会計画面内容記憶保持手段３３Ｍと，表示戻し宣言手段（６２Ｒ）と，前画面戻し表示制御手段（３１，３２）とを設け、表示戻し宣言が成されたことを条件に画面切換制御手段（３１，３２）によって自動的に切換えられた切換後商品登録画面５１Ｒから会計画面内容記憶保持手段３３Ｍに記憶されている切換前会計画面５１Ｋに戻し表示可能に形成してある。
【００４３】
さらに、一部内容表示制御手段（３１，３２）を設け、画面切換制御手段（３１，３２）によって自動的に切換えられた切換後商品登録画面５１Ｒに会計画面内容記憶保持手段３３Ｍに記憶保持されている切換前会計画面内容の一部（この実施形態では、釣銭金額）を表示可能に形成してある。
【００４４】
図１において、電子キャッシュレジスタ１０は、駆動制御部（パソコン２０）に、外部入出力装置を接続してなる。外観は、従来例（図１０）の場合と同様である。この実施形態では、ファミリーレストランでのメニュー登録および会計処理に使用されるものとされている。
【００４５】
パソコン２０は、ＣＰＵ３１，ＲＯＭ３２およびＲＡＭ３３を含み制御部を構成するマザーボード３０に、ＨＤＤ（ハードディスク装置）４１，ＦＤＤ（フロッピーディスク装置）４２，タイマー４５および入出力ポート（Ｉ／Ｏ）４６・４７を接続してなる。
【００４６】
入出力ポート４６にはカードリーダー（ＣＲＤ）７１およびその他の入力装置７３が接続され、入出力ポート４７にはプリンタ（ＰＮＴ）７５およびその他の出力装置（自動開放型のドロワ等）７６が接続されている。
【００４７】
また、制御部（３０）には、表示用コントローラー（ＣＯＮＴ）５７を介してオペレータ用表示器（ＦＩＵ）５１および客用表示器（ＢＩＵ）５５が接続されている。このオペレータ用表示器５１には、タッチパネル用コントローラー（ＣＯＮＴ）６７を介したタッチパネル６２が取り付けられている。
【００４８】
かかる実施形態の場合、登録モードで装置を起動すると、図２，図３のプログラムが起動される。これらプログラムは、ＲＯＭ３２に格納されているが、記憶媒体（ＦＤ…フロッピーディスク）からＦＤＤ４２を介してＨＤＤ４１にインストールしかつＲＡＭ３３に展開して実行可能に形成してもよい。
【００４９】
起動時は、オペレータ用表示器５１（タッチパネル６２）に図４に示す商品登録画面５１Ｒが表示されている（図２のＳＴ１０）。ここで、客のオーダーメニューに対応するメニューキー（商品キー）６２Ｍをタッチ操作（ＳＴ１３のＹＥＳ）することにより、当該オーダーメニューの品目を登録（商品登録）することができる（ＳＴ１４）。
【００５０】
引続き、当該客の次のオーダーメニューの商品登録の際は、前回が画面切換制御手段（３１，３２）による自動切換でないから（ＳＴ１１のＮＯ）、商品登録画面５１Ｒのままである。なお、この図４では、全登録メニューの単価合計（各メニューが“１”とした場合）を請求金額（ＡＡ，ＡＡＡ円）として表示するものとしてある。
【００５１】
当該客の全オーダーメニューの商品登録（ＳＴ１４）が終了したところで、実行キー６２Ｋをタッチ操作して締め操作を行う（ＳＴ１５のＹＥＳ）と、表示器（５１）の表示が、従来例（図１０，図１１）の場合と同様に図４の商品登録画面５１Ｒから図５に示す会計画面５１Ｋに切換わる（図３のＳＴ２０）。
【００５２】
経過時間計数手段を形成するタイマー４５は、この締め操作（ＳＴ１５のＹＥＳ）時から経過時間Ｔｉを計数開始する（ＳＴ２１）。また、会計処理（ＳＴ２２）後の会計画面５１Ｋには、請求金額（ＡＡ，ＡＡＡ），消費税等を勘案した取引合計（支払金額），預り金額（ＢＢ，ＢＢＢ）および釣銭金額（Ｃ，ＣＣＣ＝取引金額−預り金額）等が表示される。
【００５３】
この会計処理（ＳＴ２２）後に、実質的には当該会計処理の一部と考えてもよいドロワ（７６）が自動開放（ＳＴ２３）され、プリンタ７５からレシートが発行される（ＳＴ２４）。
【００５４】
この際に、会計画面内容記憶制御手段（ＣＰＵ３１，ＲＯＭ３２）が、当該会計画面５１Ｋの内容（例えば、請求金額，消費税等を勘案した取引合計，預り金額および釣銭金額等）を、図１に示すＲＡＭ３３内の会計画面内容記憶保持手段３３Ｍに記憶（ＳＴ２５）する。会計画面内容の内、少なくともその一部たる釣銭金額（Ｃ，ＣＣＣ）が記憶される。
【００５５】
このレシート発行（ＳＴ２４）終了時になると、タイマー４５がタイムアップする。つまり、計数経過時間Ｔｉが、例えばＨＤＤ４１に予めセットされていた設定時間Ｔｓ以上になる（ＳＴ２６のＹＥＳ）と、これを条件に画面切換制御手段（ＣＰＵ３１，ＲＯＭ３２）が働き、画面を自動的に切換える。
【００５６】
すなわち、図５の先客用の会計画面５１Ｋから図６に示す商品登録画面５１Ｒに自動的に切換わる。この際、タイマー４５は、リセット（計数停止）される（ＳＴ２７）。
【００５７】
したがって、データ入力手段がタッチ操作キー（６２Ｍ）から形成されている場合の会計画面５１Ｋから商品登録画面５１Ｒへの切換えを、従来例の場合に必須なダミーキー操作をしなくても自動的かつ確実に行えるから、業務能率を大幅に向上できるとともに、画面切換制御手段（３１，３２）の動作条件としての設定時間Ｔｓを適宜にセットするだけで、運用の実際に即した利用（例えば、レシートおよび釣銭の手渡し後まで切換えない。）ができる。適応性が広い。
【００５８】
しかも、この実施形態では、設定時間Ｔｓが、経過時間計数開始時からレシート発行終了時までに必要とする時間以上の時間長にセットされているので、確実なレシート発行を保障できかつそれ以前に商品登録画面５１Ｒに切換わってしまうことがないから、会計処理乃至チェックアウトを正確に行える。
【００５９】
ところで、画面切換制御手段（３１，３２）によって次客のための商品登録画面５１Ｒに自動的に切換えられた後でも、図６に示す表示戻し宣言手段（戻るキー６２Ｒ）をタッチ操作して表示戻し宣言をする（図２のＳＴ１７のＹＥＳ）と、前画面戻し表示制御手段（ＣＰＵ３１，ＲＯＭ３２）が、図６の切換後商品登録画面５１Ｒから会計画面内容記憶保持手段３３Ｍに記憶されている図５の切換前会計画面（内容）５１Ｋに戻し表示する（ＳＴ１８）。
【００６０】
かくして、業務能率の向上および商品登録の迅速化を第一義としかつ画面切換制御手段（３１，３２）の動作条件としての設定時間Ｔｓを短めにセットして、商品登録画面５１Ｒへの早めの自動画面切換をできるようにしておけるとともに、この場合において、先客から当該会計画面（例えば、預り金額と釣銭金額）５１Ｋの確認問合せがあったとしても、当該会計画面５１Ｋに戻せるから、その内容について係員は当該客に正確に応答できる。業務能率の一段の向上を図りつつ先客の会計画面内容に関する確認を簡単に行える。
【００６１】
なお、この場合もタイマー４５が経過時間Ｔｉを計数開始（ＳＴ１９）するように形成してある。再度、商品登録画面５１Ｒに自動的に戻す（図３のＳＴ２６でＹＥＳ，ＳＴ２７、図２のＳＴ１０）ことができるようにするためである。ただし、この場合の設定時間Ｔｓは、締め操作（ＳＴ１５のＹＥＳ）後の場合と異なる時間長（例えば、短め）にセットして運転することができる。
【００６２】
また、画面切換制御手段（３１，３２）が会計画面５１Ｋから商品登録画面５１Ｒに自動的に切換える（ＳＴ１０，ＳＴ１１のＹＥＳ）と、一部内容表示制御手段（ＣＰＵ３１，ＲＯＭ３２）が、会計画面内容記憶保持手段３３Ｍに記憶保持されている切換前会計画面（５１Ｋ）内容の一部（例えば、一番問合せの多い預り金額および釣銭金額）を切換後商品登録画面５１Ｒに表示（ＳＴ１２）する。
【００６３】
したがって、切換後の図６に示す今回商品登録画面５１Ｒ上において先客用会計画面５１Ｋの内容の一部を確認することができる。つまり、切換後の今回商品登録画面上において先客用会計画面５１Ｋの内容の一部を簡単に確認することができるとともに、先客へ釣銭を手渡し中でも次客用の商品登録準備（商品登録画面の表示）を一段と迅速に完了できかつ業務能率を一段と向上できる。
【００６４】
この実施形態では、先客用会計画面の内容の一部が釣銭金額（Ｃ，ＣＣＣ）とされているので、次客用の商品登録準備をより一段と迅速に完了できかつ業務能率をより一段と向上できる。
【００６５】
さらに、会計画面内容記憶保持手段３３Ｍに記憶保持されている会計画面内容は、記憶消去制御手段（ＣＰＵ３１，ＲＯＭ３２）によって、次客用の締め操作（図２のＳＴ１５でＹＥＳ）が成される度に、会計画面内容記憶保持手段３３Ｍに記憶保持されていた前客用会計画面内容が消去されかつ当該次客用会計画面内容に更新（図３のＳＴ２５）される。会計画面内容記憶保持手段３３Ｍの記憶容量の小容量化を図りつつ前客用の会計画面５１Ｋのみを、それ以前の会計画面と混同することなく、正確かつ確実に戻し表示させることができる。
【００６６】
さらに、表示戻し宣言手段（６２Ｒ）が表示器（５１）に表示されたタッチ操作キーから形成されているから、取り扱いが容易でかつ装置（１０）のコスト低減を図れる。
【００６７】
（第２の実施形態）
この第２の実施形態は、図７〜図９に示す如く、基本的構成が従来例の場合（図１２）と同様で、スキャナ７２を用いて商品に付されたコードをスキャンして商品データを入力可能かつ表示器（５１）に表示された商品登録画面を参照しつつ入力された商品データを用いて商品登録可能な電子キャッシュレジスタ１０から形成され、かつ経過時間計数手段（４５）と画面切換制御手段（３１，３２）とを設け、締め操作時から計数開始した計数経過時間Ｔｉが予めセットされた設定時間Ｔｓ以上になったことを条件に、会計画面から商品登録画面に自動切換可能に形成されている。
【００６８】
図７において、基本的構成には第１の実施形態の場合（図１）と同様であるが、この第２の実施形態の場合には標準入力装置（キーボード４３，キーボード用インターフェイス４４）およびスキャナ７２（スキャナ用コントローラー７８）を含む。しかし、タッチパネル６２（タッチパネル用コントローラー６７）は設けられていない。
【００６９】
さらに、この第２の実施形態では、強制画面切換宣言手段（強制切換キー４３Ｋ）と画面強制切替制御手段（ＣＰＵ３１，ＲＯＭ３２）とを設け、画面切換制御手段（３１，３２）の自動切換前に強制画面切換宣言手段（４３Ｋ）を用いた強制画面切換宣言が成されたことを条件に、画面強制切替制御手段（３１，３２）が先客用会計画面から次客用商品登録画面に強制的に切換可能に形成されている。
【００７０】
すなわち、表示器（オペレータ用表示器５１）に表示された商品登録画面を参照しつつ、商品に付されたコードをスキャナ７２を用いてスキャン操作することにより商品データを入力（図８のＳＴ３０でＹＥＳ）し、このようにして入力された商品データを用いて商品登録（ＳＴ３５）を行い、かつ締め操作（ＳＴ３６のＹＥＳ）をすると商品登録画面から会計画面に切換わる（図９のＳＴ３８）。
【００７１】
すると、経過時間計数手段（タイマー４５）が、締め操作時からの経過時間Ｔｉを計数する（ＳＴ３９）。また、画面切換制御手段（ＣＰＵ３１，ＲＯＭ３２）は、計数経過時間Ｔｉが設定時間Ｔｓ以上になったことを条件（ＳＴ４４のＹＥＳ）に、前客用会計画面から次客用商品登録画面に自動的に切換える（図８のＳＴ３１でＹＥＳ，ＳＴ３２）。
【００７２】
前回が画面切換制御手段（３１，３２）による自動切換の場合（ＳＴ３３のＹＥＳ）には、先客用会計画面の内容の一部すなわち釣銭金額（Ｃ，ＣＣＣ）が当該商品登録画面に表示（ＳＴ３４）されるので、次客用の商品登録画面上において先客の問合に対して正確に応答できる。
【００７３】
なお、図８のＳＴ３６，ＳＴ３７および図９のＳＴ３８〜ＳＴ４３，ＳＴ４４，ＳＴ４７は、第１の実施形態の場合（図２のＳＴ１５，ＳＴ１６および図３のＳＴ２０〜ＳＴ２５，ＳＴ２６，ＳＴ２７）と同じである。
【００７４】
さらに、画面切換制御手段（３１，３２）の設定時間管理による自動切換前に、強制画面切換宣言手段（４３Ｋ）を用いて強制画面切換宣言（ＳＴ４５のＹＥＳ）をすると、画面強制切替制御手段（３１，３２）がこれを条件として今回客用会計画面から次客用の商品登録画面に強制的に切換える（ＳＴ４６）。
【００７５】
つまり、次客の商品登録のためにスキャナ７２を用いた商品データの入力作業（図８のＳＴ３０でＹＥＳ）をしなくてもかつ設定時間経過前（図９のＳＴ４４のＮＯ）でも、先客の会計画面を表示消滅（ＳＴ４６）できるから、先客のプライベートをより確実かつ迅速に保護できる。
【００７６】
したがって、データ入力手段がスキャナ７２から形成されている場合の会計画面から商品登録画面への切換えを、従来例では必須であったスキャン操作なくして自動的かつ確実に行えるから、業務能率の向上を図りつつ次客のプライベート保護を図れる。また、画面切換制御手段（３１，３２）の動作条件としての設定時間Ｔｉを適宜にセットするだけで、運用の実際に即した利用ができかつ適応性が広い。
【００７７】
【発明の効果】
請求項１の発明は、経過時間計数手段と画面切換制御手段とを設け、計数経過時間が設定時間以上になった場合に会計画面から商品登録画面に切換可能な商品販売データ処理装置であるから、データ入力手段がタッチ操作キーから形成されている場合の会計画面から商品登録画面への切換えを、従来例の場合に必須なダミーキー操作なくして自動的かつ確実に行えるから、業務能率を大幅に向上できるとともに、画面切換制御手段の動作条件としての設定時間を適宜にセットするだけで運用の実際に即した利用ができかつ適応性が広い。
【００７８】
また、請求項２の発明によれば、設定時間が経過時間計数開始時からレシート発行終了時までの必要時間以上の時間長とされているので、請求項１の発明の場合と同様な効果を奏することができることに加え、さらに確実なレシート発行を保障できかつそれ以前に商品登録画面に切換わってしまうことがないので会計処理乃至チェックアウトをより正確に行える。
【００７９】
また、請求項３の発明によれば、会計画面内容記憶保持手段と表示戻し宣言手段と前画面戻し表示制御手段とを設け、表示戻し宣言が成されたことを条件に切換後商品登録画面から会計画面内容記憶保持手段に記憶されている切換前会計画面に戻し表示可能に形成されているので、請求項１または２の各発明の場合と同様な効果を奏することができることに加え、さらに業務能率の一段の向上を図りつつ先客の会計画面内容に関する確認を簡単に行える。
【００８０】
また、請求項３の発明によれば、一部内容表示制御手段を設け、切換後商品登録画面に会計画面内容記憶保持手段に記憶保持されている切換前会計画面内容の一部を表示可能に形成されているので、請求項１の発明の場合と同様な効果を奏することができることに加え、さらに切換後の次客用商品登録画面上において先客用会計画面の内容の一部を簡単に確認することができるとともに、先客へ釣銭を手渡し中でも次客用の商品登録準備を一段と迅速に完了できかつ業務能率を一段と向上できる。
【００８１】
また、請求項４の発明によれば、切換後商品登録画面に表示する切換前会計画面内容の一部が釣銭金額とされているので、請求項３の発明の場合と同様な効果を奏することができることに加え、さらに次客用の商品登録準備をより一段と迅速に完了できかつ業務能率をより一段と向上できる。
【００８２】
さらに、請求項５の発明によれば、締め操作が成される度に会計画面内容記憶保持手段に記憶保持される内容が次客用会計画面内容に更新可能に形成されているので、請求項１から請求項４までのいずれかの発明の場合と同様な効果を奏することができることに加え、さらに会計画面内容記憶保持手段の記憶容量の小容量化を図りつつ直前客用の会計画面のみを正確かつ確実に戻し表示させることができる。
【００８３】
さらに、請求項６の発明によれば、表示戻し宣言手段が表示器に表示されたタッチ操作キーから形成されているので、請求項１から請求項５までのいずれかの発明の場合と同様な効果を奏することができることに加え、さらに取り扱いが容易でかつ装置コスト低減を図れる。
【００８４】
さらに、請求項７の発明によれば、商品登録画面に表示される商品キーがメニューキーであるから、請求項１から請求項６までのいずれかの発明の場合と同様な効果を奏することができることに加え、さらにレストラン等でメニュー入力に使用するハンディターミナルにもそのまま利用できる。
【図面の簡単な説明】
【図１】  本発明の第１の実施形態を示すブロック図である。
【図２】  同じく、動作を説明するためのフローチャート（１）である。
【図３】  同じく、動作を説明するためのフローチャート（２）である。
【図４】  同じく、商品登録画面を説明するための図である。
【図５】  同じく、会計画面を説明するための図である。
【図６】  同じく、切換後商品登録画面に切換前会計画面の一部が表示された状態を説明するための図である。
【図７】  本発明の第２の実施形態を示すブロック図である。
【図８】  同じく、動作を説明するためのフローチャート（１）である。
【図９】  同じく、動作を説明するためのフローチャート（２）である。
【図１０】  従来例（１）を示す外観斜視図である。
【図１１】  従来例（１）の動作を説明するためのフローチャートである。
【図１２】  従来例（２）を示す外観斜視図である。
【図１３】  従来例（２）の動作を説明するためのフローチャートである。
【符号の説明】
１０  電子キャッシュレジスタ（商品販売データ処理装置）
２０  パソコン
３０  マザーボード
３１  ＣＰＵ（画面切換制御手段、前画面戻し表示制御手段、一部内容表示制御手段、画面強制切替制御手段）
３２  ＲＯＭ（画面切換制御手段、前画面戻し表示制御手段、一部内容表示制御手段、画面強制切替制御手段）
３３  ＲＡＭ
３３Ｍ  会計画面内容記憶保持手段
４１  ＨＤＤ
４３  キーボード
４３Ｋ  強制切換キー（強制画面切換宣言手段）
４５  タイマー（経過時間計数手段）
５１  オペレータ用表示器（表示器）
５１Ｋ  会計画面
５１Ｒ  商品登録画面
５２  客用表示器
５７  表示用コントローラー
６２  タッチパネル（データ入力手段）
６２Ｍ  メニューキー（商品キー）
６２Ｋ  実行キー
６２Ｒ  戻るキー（表示戻し宣言手段）
７２  スキャナ（データ入力手段）
Ｔｉ  経過時間
Ｔｓ  設定時間
【図１】
0003800385.tif 000002
【図２】
0003800385.tif 000003
【図３】
0003800385.tif 000004
【図４】
0003800385.tif 000005
【図５】
0003800385.tif 000006
【図６】
0003800385.tif 000007
【図７】
0003800385.tif 000008
【図８】
0003800385.tif 000009
【図９】
0003800385.tif 000010
【図１０】
0003800385.tif 000011
【図１１】
0003800385.tif 000012
【図１２】
0003800385.tif 000013
【図１３】
0003800385.tif 000014